(57)【特許請求の範囲】
【請求項１】
立設されたリーダに沿って昇降される掘削具と建設機械本体との間を接続する複数のホースあるいはケーブルを掛ける建設機械用ハンガー装置において、
ウインチからのワイヤに吊下げられたハンガー本体を有し、
前記ホースあるいは前記ケーブルが掛けられる外層回転体を円弧上に複数配置した外層ガイド機構を前記ハンガー本体に設けると共に、前記外層ガイド機構の一方の側面は開口され、
更に、前記ホースあるいは前記ケーブルが掛けられる内層回転体を有する内層ガイド機構を前記外層回転体の内側に配置すると共に、前記内層ガイド機構を前記開口側に移動可能に支持したことを特徴とする建設機械用ハンガー装置。
【請求項２】
前記ハンガー本体を前記リーダに沿って摺動可能に支持したことを特徴とする請求項１記載の建設機械用ハンガー装置。
【請求項３】
一端が前記掘削具側に他端を前記建設機械本体側に締結した張力受け用ワイヤを前記内層回転体あるいは前記外層回転体に掛けたことを特徴とする請求項１又は請求項２記載の建設機械用ハンガー装置。
【請求項４】
前記内層ガイド機構は、前記ハンガー本体に立設された支持軸に摺動可能に中空部材を挿着し、該中空部材に前記内層回転体を回転可能に支持したことを特徴とする請求項１ないし請求項３記載の建設機械用ハンガー装置。
【発明の詳細な説明】
【０００１】
【発明の属する技術分野】
本発明は、昇降する掘削具と建設機械本体との間を接続するホースやケーブルを掛け、ホースやケーブルのもつれや捻れ等を防止する建設機械用ハンガー装置に関する。
【０００２】
【従来の技術】
従来より、立設されたリーダに沿って昇降する掘削具と建設機械本体とを接続する油圧やクラウド用のホースあるいは電力や信号用のケーブルを回転可能に支持したリールに掛け、リールをウインチのワイヤにより吊下げて、ホースやケーブルのもつれや捻れ等を防止する建設機械用リール装置が用いられている。
【０００３】
【発明が解決しようとする課題】
しかしながら、こうした従来のものでは、ホースやケーブルの本数が多い場合、リールの幅が大きくなり、装置が大型化し、隣接部の施工に問題があった。
本発明の課題は、小型の建設機械用ハンガー装置を提供し、隣接部の施工を可能にすることにある。
【０００４】
【課題を解決するための手段】
かかる課題を達成すべく、本発明は課題を解決するため次の手段を取った。即ち、
立設されたリーダに沿って昇降される掘削具と建設機械本体との間を接続する複数のホースあるいはケーブルを掛ける建設機械用ハンガー装置において、
ウインチからのワイヤに吊下げられたハンガー本体を有し、
前記ホースあるいは前記ケーブルが掛けられる外層回転体を円弧上に複数配置した外層ガイド機構を前記ハンガー本体に設けると共に、前記外層ガイド機構の一方の側面は開口され、
更に、前記ホースあるいは前記ケーブルが掛けられる内層回転体を有する内層ガイド機構を前記外層回転体の内側に配置すると共に、前記内層ガイド機構を前記開口側に移動可能に支持したことを特徴とする建設機械用ハンガー装置がそれである。
【０００５】
また、前記ハンガー本体を前記リーダに沿って摺動可能に支持した構成としてもよく、あるいは、一端が前記掘削具側に他端を前記建設機械本体側に締結した張力受け用ワイヤを前記内層回転体あるいは前記外層回転体に掛けた構成としてもよい。
【０００６】
更に、前記内層ガイド機構は、前記ハンガー本体に立設された支持軸に摺動可能に中空部材を挿着し、該中空部材に前記内層回転体を回転可能に支持してもよい。
【０００７】
【発明の実施の形態】
以下本発明の実施の形態を図面に基づいて詳細に説明する。
図１に示すように、１は自走式の建設機械本体で、リーダ２がステー４及びキャッチングホーク６によって起倒自在に支持されている。リーダ２の前面にはその長手方向に沿って長尺状の２本のガイドレール８，１０（図４参照）が敷設されている。
【０００８】
建設機械本体１には、主ウインチ１２が搭載されており、主ウインチ１２から引き出された主ワイヤ１４は、リーダ２に沿って引き出され、リーダ２の中間に回転可能に支持されたシーブ１６を介して、リーダ２の上端に回転可能に支承されたシーブ１８に掛け渡されている。更に、主ワイヤ１４は、吊りシーブ２０とリーダ２の上端に設けられたシーブ２２との間に掛け渡された後、その一端はリーダ２の上端に止結されている。
【０００９】
吊りシーブ２０はケリーバ２４の上端に連結されており、ケリーバ２４は、アウタケリーバとインナケリーバとを備えた多段式のものである。更に、ガイドレール８，１０には、図１に示すように、振止め台２６が摺動可能に支持されている。振止め台２６はケリーバ２４の外周を摺動可能に囲むことができるように構成されている。
【００１０】
一方、ケリーバ２４の下端には、図１に示すように、掘削具２８が取り付けられており、掘削具２８は、内蔵する図示しない油圧モータにより回転駆動される円盤状の掘削刃３０を備えると共に、油圧モータにより回転駆動されるチェーンのリンクに掘削ビットが植設された掘削刃３２をも備えている。
【００１１】
そして、掘削具２８には、複数本の油圧ホース３４，３６の一端が接続されており、油圧ホース３４，３６の他端は、建設機械本体１に接続されている。また、掘削具２８には、クラウド用のホース３８や油圧ドレン用のホース４０の一端が接続され、これらのホース３８，４０の他端は建設機械本体１に接続されている。
【００１２】
一方、ガイドレール８，１０には、図４に示すように、ハンガー本体４２が一対のガイドギブ４４，４６を介して摺動可能に支持されている。ハンガー本体４２には、建設機械本体１に搭載されているウインチ４８からシーブ４９等によりリーダ２に沿って引き出されたワイヤ５０に吊下げられたシーブブロック５２がピン５４を介して連結されている。
【００１３】
また、ハンガー本体４２には、その両側面に円弧状に形成された外カバー部材５６（一方のみ図示する）が取り付けられている。外カバー部材５６は、下方が開口されると共に、その側面も開口されている。外カバー部材５６には、その外周に沿って円弧状に複数のローラ軸５８が支持されており、各ローラ軸５８には、円柱状の外層回転体６０が回転可能に装着されている。
【００１４】
本実施形態では、各ローラ軸５８には３個の外層回転体６０が装着されており、各外層回転体６０の外周には溝６２が形成されている。この各外層回転体６０には、それぞれ油圧ホース３４，３６、クラウド用のホース３８が掛けられている。尚、本実施形態では、外カバー部材５６、ローラ軸５８、外層回転体６０により外層ガイド機構６１を構成している。
【００１５】
一方、ハンガー本体４２には、ローラ軸５８と平行な支持軸６４が固定されており、支持軸６４は円弧状に配置されているローラ軸５８の中心に設けられている。支持軸６４には中空部材６６が軸方向に摺動可能に装着されており、中空部材６６にはシーブを用いた複数の内層回転体６８，７０がベアリング７２，７４を介して回転可能に支持されている。
【００１６】
支持軸６４の先端にはスリット７６が形成されており、スリット７６には抜け止め部材７８が挿入されている。抜け止め部材７８にはその長手方向に長穴８０が形成されており、長穴８０には支持軸６４に装着されたピン８２が挿入されている。
【００１７】
図２に示すように、抜け止め部材７８を垂直に立てた状態では、中空部材６６が抜け止め部材７８に当たって、中空部材６６の摺動が規制されて、中空部材６６が支持軸６４から外れないように構成されている。そして、抜け止め部材７８を矢印に示す方向に抜き上げて、ピン８２の廻りに支持軸６４と平行となるように揺動させる。これにより、中空部材６６を支持軸６４に沿って摺動させて、内層回転体６８，７０を外カバー部材５６の外部に引き出すことができるように構成されている。
【００１８】
一方、内層回転体６８には張力受け用ワイヤ８４が掛けられており、張力受け用ワイヤ８４の一端は掘削具２８に締結されると共に、他端は建設機械本体１に締結されている。また、内層回転体７０には油圧ドレン用のホース４０が掛けられている。内層回転体６８，７０を外カバー部材５６の外部に引き出すことにより、張力受け用ワイヤ８４やホース４０を内層回転体６８，７０に容易に掛けることができる。尚、本実施形態では、支持軸６４、中空部材６６、内層回転体６８，７０、ベアリング７２，７４、抜け止め部材７８により内層ガイド機構８６を構成している。
【００１９】
次に、前述した本実施形態の建設機械用ハンガー装置の作動について説明する。
まず、建設機械本体１から油圧ホース３４，３６を介して掘削具２８に高圧作動油が供給されると、掘削刃３０，３２が駆動される。そして、主ウインチ１２の主ワイヤ１４が繰り出されると、掘削具２８は下降し始め、掘削刃３０，３２による掘削が行われる。
【００２０】
掘削が進行するに従って掘削具２８は下降し続け、これにより、張力受け用ワイヤ８４が掘削具２８に引っ張られる。よって張力受け用ワイヤ８４により内層回転体６８、ベアリング７２、中空部材６６、支持軸６４を介してハンガー本体４２を下降させる作用力が働く。ウインチ４８のワイヤ５０を同時に繰り出すことにより、ハンガー本体４２がガイドレール８，１０に沿って下降する。その際、掘削具２８の下降量に対してハンガー本体４２の下降量は半分となる。
【００２１】
その際、油圧ホース３４，３６、クラウド用のホース３８とハンガー本体４２との間には相対的な移動が生じるので、外層回転体６０が回転してホース３４，３６，３８が擦れるのを防止する。また、ドレン用のホース４０も同様に内層回転体７０が回転して、ホース４０が擦れるのを防止する。主ウインチ１２を駆動して主ワイヤ１４を巻き上げて、掘削具２８を上昇させる際も同様である。
【００２２】
ウインチ４８のワイヤ５０の繰出し量を主ウインチ１２の主ワイヤ１４の繰り出し量の半分に制御することは非常に困難で、ウインチ４８のワイヤ５０の繰出し量が多いと、ホース３４，３６，３８，４０はたるんでしまい、もつれの原因になる。また、ワイヤ５０の繰出し量が少ないと、ホース３４，３６，３８，４０に過大な張力が加わり、破断する場合もある。
【００２３】
ウインチ４８は、図示しない油圧モータにハンガー本体４２が落下しない程度の圧力が常に発生するような圧力を巻上げ方向に加えて運転し、張力受け用ワイヤ８４によりハンガー本体４２を引き下げ、シーブブロック５２を介してワイヤ５０をウインチ４８から引き出すことにより、ホース３４，３６，３８，４０はたるむことなく、また過大な張力が加わることもなく、掘削具２８の下降に追従する。尚、ホース３４，３６，３８，４０に十分な強度がある場合には、張力受け用ワイヤ８４を用いなくてもよい。
【００２４】
また、ハンガー本体４２をガイドギブ４４，４６を介してガイドレール８，１０に摺動可能に支持することにより、昇降に伴ってハンガー本体４２が前後左右に振れることがなく、ホース３４，３６，３８，４０が土壁に接触して損傷するのを防止できる。
【００２５】
以上本発明はこの様な実施形態に何等限定されるものではなく、本発明の要旨を逸脱しない範囲において種々なる態様で実施し得る。
【００２６】
【発明の効果】
以上詳述したように本発明の建設機械用ハンガー装置は、外層ガイド機構及び内層ガイド機構により、ホースあるいはケーブルを多層に掛けることができるので、装置の幅が小さくなり、小型化できるという効果を奏する。また、内層ガイド機構を移動可能に支持したので、多層にしても内層回転体に容易にホースあるいはケーブルを掛けることができる。
【００２７】
ハンガー本体をリーダに沿って摺動可能に支持することにより、ハンガー本体の振れを防止でき、ホースやケーブルが土壁に接触するのを防止できる。また、張力受け用ワイヤを設けることにより、ホースやケーブルに過大な張力が加わらないようにできる。更に、支持軸に中空部材を摺動可能に挿着することにより、簡単な構造で内層回転体を移動することができる。
【図面の簡単な説明】
【図１】本発明の何時実施形態としての建設機械用ハンガー装置を用いた建設機械の側面図である。
【図２】本実施形態の建設機械用ハンガー装置の要部を断面で示す正面図である。
【図３】図２のＡＡ断面図である。
【図４】本実施形態の建設機械用ハンガー装置の要部を断面で示す平面図である。
【符号の説明】
１…建設機械本体        ２…リーダ
１２…主ウインチ        ２４…ケリーバ
２８…掘削具    ３４，３６，３８，４０…ホース
４２…ハンガー本体      ４８…ウインチ
５０…ワイヤ            ６０…外層回転体
６１…外層ガイド機構    ６６…中空部材
６８，７０…内層回転体  ７８…抜け止め部材
８４…張力受け用ワイヤ  ８６…内層ガイド機構
【図１】
0003817345.tif 000002
【図２】
0003817345.tif 000003
【図３】
0003817345.tif 000004
【図４】
0003817345.tif 000005